(57)【特許請求の範囲】
【請求項１】
足に対して外側に位置する上面、及び前記足に対向する底面を備える非弾性部材の基本構造体（２）と、
前記基本構造体（２）の上面に設けられ、少なくとも１つの靴紐（１３）を締め付け手段によって固定して収容することができる構造を備えた保持機構（３）と、
前記基本構造体（２）の底面に設けられたパッド（４）と、
複数の穿孔（９）と、を有し、
前記基本構造体（２）により、前記足への全接触面に亘って適合して位置することができ、且つ左右の両側部（左右の側方部分）が前記足の甲の骨格に対応して前もって形成されていることを特徴とする靴の舌革。
【請求項２】
前記パッド（４）は、前記足の甲に沿って延在する空洞（８）が形成されるように設けられることを特徴とする請求項１に記載の舌革。
【請求項３】
前記複数の穿孔（９）は、前記空洞（８）の上方に設けられていることを特徴とする請求項２に記載の舌革。
【請求項４】
前記基本構造体（２）の前記上面に通路（５）を更に有し、
前記保持機構（３）は、前記通路（５）内に配置され、
前記通路（５）が前記保持機構（３）の受容手段を有し、及び／又は前記保持機構（３）が前記通路（５）に収容されるための収容手段を有し、
前記受容手段、及び前記収容手段の少なくとも一方は、前記通路（５）において、前記保持機構（３）の所定の間隔による調整可能な位置決め、又は連続的に調整可能な位置決めを許容することを特徴とする請求項１乃至３のいずれか１に記載の舌革。
【請求項５】
前記保持機構（３）の調整可能な位置決めは、２．５ｍｍ間隔で前記通路（５）における任意の位置において行われることを特徴とする請求項４に記載の舌革。
【請求項６】
前記保持機構（３）は、少なくとも１つのタンカ（６）を備えていることを特徴とする請求項１乃至５のいずれか１に記載の舌革。
【請求項７】
前記基本構造体（２）において、前記靴紐（１３）を通り抜けさせるための入口開口（１０）及び出口開口（１１）が、前記基本構造体（２）の底面側で前記空洞（８）内において前記入口開口（１０）と前記出口開口（１１）との間を前記靴紐（１３）が通過するように設けられていることを特徴とする請求項２乃至６のいずれか１に記載の舌革。
【請求項８】
１部材構造又は複数部材構造を有することを特徴とする請求項１乃至７のいずれか１に記載の舌革。
【請求項９】
前記基本構造体（２）の非弾性部材はプラスチック、特に押出成形ポリウレタンであることを特徴とする請求項１乃至８のいずれか１に記載の舌革。
【請求項１０】
請求項１乃至９に記載の舌革（１）と、
少なくとも１つの靴紐（１３）と、
靴の甲（Ｓ）の少なくとも１側方部にある少なくとも１つの靴紐に対して用いられ、当該少なくとも１つの靴紐が前記舌革（１）の上方で係合するガイド部材（１４）と、を備え、
前記少なくとも１つの靴紐（１３）は、保持機構（３）内に固定的に受容されることを特徴とする靴の開閉システム。
【請求項１１】
前記少なくとも１つの靴紐（１３）は、バンド、及び紐から選択されることを特徴とする請求項１０に記載の開閉システム。
【請求項１２】
前記ガイド部材（１４）は、アイレット、留め金、及び棒から選択されることを特徴とする請求項１０又は請求項１１に記載の開閉システム。
【請求項１３】
前記保持機構（３）は、前記舌革（１）の足首側端部の所定位置に取付られ、且つ２つのタンカ（６）を備え、
前記パッド（４）は、空洞（８）が生じるように形成され、
前記基本構造体（２）において、前記靴紐（１３）を通り抜けさせるための入口開口（１０）及び出口開口（１１）が、前記基本構造体（２）の底面側で前記空洞（８）内において前記入口開口（１０）と前記出口開口（１１）との間に前記靴紐（１３）が案内されるように設けられ、
紐の形態をなす２つの靴紐（１３）が、２部からなる結束を形成するように設けられ、
つま先側紐（１３ｄ）が前記舌革（１）のつま先側部分の上方に延設され、足首側紐（１３ｐ）が前記舌革（１）の足首側部分の上方に延設され、前記足首側紐（１３ｐ）の前記足首側部分を跨ぐために、前記つま先側紐（１３ｄ）が前記入口開口（１０）に挿入され、前記舌革（１）の底面側で前記空洞（８）内を通過し、前記足首側紐（１３ｐ）の前記足首側部分を跨いだ後、前記出口開口（１１）から抜け出すことを特徴とする請求項１０乃至１２のいずれか１に記載の開閉システム。
【請求項１４】
前記ガイド部材（１４）は、アイレット及び／又は留め金のように形成され、
前記足首側にある前記ガイド部材は、前記保持機構（３）から前記つま先側に向かって１．５ｃｍ離間して配置されていることを特徴とする請求項１３に記載の開閉システム。
【請求項１５】
前記保持機構（３）は、前記基本構造体（２）の前記上面に設けられた通路（５）内に配置され、
棒（１４）の形態の２つのガイド部材（１４）は、靴の甲（Ｓ）の左右において足首側からつま先側まで延び、且つ足首側及びつま先側座部（１５，１６）に配置されていることを特徴とする請求項１０乃至１２のいずれか１に記載の開閉システム。
【請求項１６】
前記２つの棒（１４）の少なくとも１つの位置を調整するための調整機構が、前記足首側座部及び／又はつま先側座部（１５、１７）に設けられていることを特徴とする請求項１５に記載の開閉システム。
【請求項１７】
所定位置で前記棒（１４）を保持するための１又は２以上の凹み（１６）を有するそれぞれ１つのカートリッジ（１５）が、前記足首側座部（１５）として使用されることを特徴とする請求項１６に記載の開閉システム。
【請求項１８】
調整ネジ（１８）を有し、且つ前記棒（１４）を相互に連結する可撓性部材（１７）が、つま先側座部（１７）として使用されることを特徴とする請求項１５又は１６に記載の開閉システム。
【請求項１９】
前記紐（１３）の形態の前記２つの靴紐（１３）は折り返し状の結束を形成し、
前記舌革（１）上方における前記２つの紐（１３）の位置は、前記足首側方向及び／又は前記つま先側方向への前記保持機構（３）の移動によって前記２つの棒（１４）において調整され、
前記紐（１３）は、それらの長さが前記保持機構（３）内で調整可能となるように設けられていることを特徴とする請求項１５乃至１８のいずれか１に記載の開閉システム。
【請求項２０】
前記靴紐（１３）がベルト及び／又は紐の場合に、
前記靴紐（１３）の前記靴の甲（Ｓ）との固定接続が、任意的に調整可能な固定具（２０）によって所定の位置に行われることを特徴とする請求項１０乃至１９のいずれか１に記載の開閉システム。
【請求項２１】
前記舌革（１）又は前記開閉システム（１２）の全ての構成部材のそれぞれが、交換式であることを特徴とする請求項１乃至９のいずれかに１に記載の舌革、又は請求項１０乃至２０のいずれか１に記載の開閉システム。
【発明の詳細な説明】
【技術分野】
【０００１】
本発明は、靴の新しい舌革、又は靴の新しい開閉システムに関する。
【背景技術】
【０００２】
現状の靴の開閉システムのデメリットを以下に記載する。
【０００３】
既存の舌革又は開閉システムのそれぞれは、連続的な形状適合性及び均一な圧力分布の観点から、足の甲又は足そのものの骨格を十分に考慮していない。
【０００４】
更に、現在知られている靴の開閉システムは手間がかかる。そして、既存の開閉システムの構成部材は、通常、当該システムの不可欠な部材であり、当該構成部材の欠陥が存在する場合、靴の更なる使用は多くの場合に不可能であり、新たな靴の購入が必要になる。
【発明の概要】
【発明が解決しようとする課題】
【０００５】
従って、本発明の目的は、上述した現状の技術のデメリットを克服することができる靴の開閉システムの提供、及び靴を完全に開くことができる使いやすい靴の開閉システムにある。
【０００６】
本発明の別の目的は、靴の開閉システムの操作性を改善する靴の舌革を提供することにある。
【０００７】
本発明の更なる目的は、優れた形状適合性、及び足の上面における均一な圧力分布を可能にする靴の舌革を提供することにある。
【課題を解決するための手段】
【０００８】
上述した目的、及び以下の明細書に記載されている他の目的は、請求項１に係る舌革、又は請求項１に係る舌革を備える請求項１０に係る開閉システムのそれぞれによって達成される。
【０００９】
本発明の更なる有用な展開は、各従属請求項に記載されている。
【００１０】
第１の特徴として、本発明は、基本構造体、保持機構、及びパッドから構成される靴の舌革に関係する。当該基本構造体は、実質的な非弾性部材からなり、足に対して外側に位置する上面及び足に対向する底面を有している。当該保持機構は、当該基本構造体の上面側に位置し、少なくとも１本の靴紐を固定して収納できるように形成されている。当該パッドは、基本構造体の底面に設けられている。基本的に、このような方法により２層構造の舌革が形成されている。パッド又は他の機能を有する更なる構成部材を備える多層構造の舌革の形態も考えられる。
【００１１】
一態様として、紐すなわち靴紐用の保持機構を、当該基本構造体の上面側の所定の位置に取付けてもよい。
【００１２】
別の態様として、当該基本構造体の上面に通路を設けてもよい。この態様において、保持機構は、当該通路内に配置されることができる。当該通路は、保持機構の受容手段を更に有していてもよい。また、これに代えて、保持機構は、当該通路への収容手段を備えていてもよい。当該通路に設けられる受容手段と、当該保持機構に設けられる収容手段と、を組み合わせることも可能である。更に、当該収容手段は、当該通路において所定の間隔で保持機構の位置決めを許容する。また、これに代えて、当該通路における保持機構の連続的に調整可能な位置決めを行うようにしてもよい。
【００１３】
別の態様として、保持機構の当該調整可能な位置決めは、適切な間隔で当該通路内の任意の位置で行ってもよく、当該間隔は、好ましくは２．５ｍｍである。
【００１４】
別の態様として、保持機構は、少なくとも１つのタンカを含む。本明細書中で使用されるタンカは、揺動レバーを備えた閉鎖型であり、当該揺動レバーを用いてバンド又は紐のような靴紐を締め付けることによって保持機構内に固定してもよい。タンカに代わるものとして、保持機構は、保持アーム用の少なくとも１つの座部を含んでいる。保持機構における所定の位置での靴紐の適切な固定及び開放に用いられることができる限り、締め付け蓋、トリプルグローサ又は同等の装置の使用も同様にあり得る。従来型のタンカの使用も同様にあり得る。従来型のタンカは、一般に縦長であって、靴紐が貫通する孔を備える長方形の部材である。従来型のタンカは、当該孔を横断してバネで付勢されたボルトを押すことにより、靴紐を所定の位置に固定し、又は開放する。円形の従来型のタンカの使用もあり得る。
【００１５】
本発明によれば、当該パッドによって空洞を形成することができる。例えば、舌革のパッドは両側のみに存在し、これによって舌革の中央部に空洞が形成される。更には、空洞の広がりは、足の甲に沿って設けることができる。
【００１６】
別の態様として、複数の穿孔を舌革に設けてもよい。複数の穿孔は、空洞の上方に特に設けてもよい。当該穿孔は、水蒸気の排出を大変容易にし、足のムレを有効に改善する。
【００１７】
別の態様として、靴紐が通り抜けるための入口開口と出口開口が基本構造体内に設けられてもよく、当該靴紐は、基本構造体の底面及び空洞内において、当該入口開口と出口開口との間を通り抜ける。
【００１８】
別の態様として、舌革は、足の甲の骨格に対応して、左右の部分を前もって形成してもよい。
【００１９】
本発明の第１の特徴に係る上記態様として、舌革は、１部材構造又は複数部材構造としてもよい。
【００２０】
本発明の第１の特徴に係る上記態様として、基本構造体の実質的な非弾性部材には、プラスチックを用いてもよい。当該プラスチックとしては、特に、押出成形ポリウレタンが好ましい。舌革の基本構造体用に実質的な非弾性部材を使用することにより、つま先側から足首側までの舌革の全体部分に沿った形状適合性は、開閉システムの一部として舌革を使用することによって確保することができる。従って、舌革又は舌革を含む開閉システムのそれぞれにおける適合性の大幅な改善が可能である。更に、このような構成により、圧力が舌革全体に均一分布する。前述したように、足の甲の骨格への適合により、舌革を足によって十分に支持することができる。舌革の上記態様を用いることにより、ずれを最小化、又は十分に防止することができ、更にはフィット感の改善を図ることができる。
【００２１】
第２の特徴として、本発明は、舌革、少なくとも１つの靴紐、及びガイド部材を含む靴の開閉システムを対象にしている。舌革は、本発明の上述した第１の特徴に従って具体化されている。当該少なくとも１つの靴紐用のガイド部材は、靴の甲の少なくとも一側方側に設けられている。当該少なくとも１つの靴紐は、舌革の上方のガイド部材に係合する。更に、当該少なくとも１つの靴紐は、本発明の先の第１の特徴に係る保持機構内に固定して取付けられる。
【００２２】
バンド、紐、及び保持アームから、当該少なくとも１つの靴紐を選択することができる。アイレット、留め金、及び棒から、当該ガイド部材を選択することができる。
【００２３】
一態様として、舌革の足首側端の所定位置に、保持機構を設けてもよい。保持機構は、上述したようなタンカを２つ含むことができる。パッドは、空洞が形成されるように具体化することができる。基本構造体において、靴紐の通り抜け用の入口開口及び出口開口を、基本構造体の底面及び空洞内で、当該入口開口と当該出口開口との間を靴紐が通り抜けることができるように設けることができる。２部分又は２区域の結束が形成されるように、紐状の２本の靴紐を設けることができ、この場合、つま先側紐は実質的に舌革のつま先側部位の上方に延び、且つ足首側紐は実質的に舌革の足首側部位の上方に延びている。足首側紐が配置されている部分を跨ぐために、つま先側紐は、入口開口に導入され、舌革の底面で空洞を通り抜け、足首側紐が配置されている部分を跨いだ後に出口開口を通り抜ける。この２部分又は２区域の結束により、つま先側から足首側までの連続的な形状適合性を確保することができる。
【００２４】
別の態様として、ガイド部材は、アイレット及び／又は留め金として形成されてもよい。更に、保持機構からつま先側に向かって約１．５ｃｍ離間して、足首側ガイド部材を設けることができる。当該足首側ガイド部材は、保持機構と同一の高さに、配置することができない。当該約１．５ｃｍの距離により、均一に分布された張力を確保することができる。
【００２５】
別の態様として、通路内に保持機構を配置してもよい。更に、棒状の２つのガイド部材を、靴の甲の左右上で、足首側からつま先側まで延設してもよく、足首側及びつま先側座部に配置してもよい。
【００２６】
別の態様として、足首側座部及び／又はつま先側座部に、２つの棒の少なくとも一方の位置を調整する調整機構を設けてもよい。
【００２７】
別の態様として、各カートリッジを、足首側座部の代わりとして用いてもよい。当該カートリッジは、棒を所定の位置に固定するための１つ又は複数の凹みを更に有していてもよい。当該凹みは、棒の直径で設けることができる。例えば、１つのカートリッジに、２〜３の凹みを設けることができる。従って、例えば、２〜３の位置に棒を位置決めして固定することができ、棒同士の間の角度を増加又は減少させることができる。この有利な態様より、足の骨格の相違を補償することができる。例えば、幅がとても広い足の場合、一般に、中央側にある棒の位置を外側にすることができる。
【００２８】
別の態様として、つま先側座部として可撓性部材を使用することができ、当該可撓性部材は、必要に応じて全方向に変形することができる。当該可撓性部材は、調整ネジを有してもよく、任意的に２部材で設けてもよい。更に、可撓性部材は、例えば湾曲部を形成することにより、棒同士を相互に連結することができる。調整ネジにより、例えば、２つの棒の位置を調整することができる。例えば、調整ネジを用いることにより、棒を平行に配置したり、棒を足首側からつま先側に向かって鋭角に収束することができる。
【００２９】
別の態様として、リボン状の２つの靴紐は折り返し状の結束を行うものであって、舌革上方における２つの紐の位置は、保持機構を移動することにより、２つの棒において、足首側方向及び／又はつま先側方向に調整してもよい。つま先側から足首側に当該保持機構を変位させるにつれ、開閉システム、すなわち靴を閉じることができる。要望通りの長さに紐そのものを調整できることが、更に好ましい。従って、この態様においても、つま先側から足首側にかけた連続的な形状適合性を確保することができる。
【００３０】
別の態様として、保持アーム型の２つの靴紐を設けることにより、舌革上方の２つの保持アームの位置が、２つの棒において、足首側方向及び／又はつま先側方向への保持機構の移動によって調整可能となる機構が形成されもよい。つま先側から足首側に当該保持機構を変位させるにつれ、開閉システム、すなわち靴を閉じることができる。従って、この態様においても、つま先側から足首側にかけた連続的な形状適合性を確保することができる。
【００３１】
本発明の第２の特徴に係る上述した態様として、靴紐をバンド及び／又は紐とした場合、靴の甲と靴紐との固定接続は、所定の位置に固定具によって行ってもよい。更に、当該固定具を、任意的に調整可能としてもよい。
【００３２】
第３の特徴として、本発明は、第１の特徴に基づく靴の舌革、又は第２の特徴に基づく靴の開閉システムのそれぞれを対象としている。ここで、舌革又は開閉システムの全ての構成要素のそれぞれは、交換することができる。従って、もし、本発明に係る構成部材のいずれかに欠陥がある場合においても、靴の引き続いての使用を確保することができる。更に、いくつかの構成部材は、使用者自身により交換可能であることがわかる。
【発明の効果】
【００３３】
以下のように、本発明によって達成される効果を要約することができる。
【００３４】
本発明に係る舌革の形態により、開閉システムの操作性が向上する。
【００３５】
本発明に係る、材料や形状の観点による舌革の態様、及び本発明に係る開閉システムの態様により、つま先側から足首側における舌革の全体に沿って連続的な形状適合性及び圧力の均一分布を確保することができる。
【００３６】
空洞の上方に設けられることが好ましい、本発明に係る穿孔を備えることにより、水蒸気を極めて容易に排出することができ、足のムレを効果的に改善することができる。
【００３７】
舌革又は開閉システムに交換可能な部材を備えることにより、本発明に係る部材に何らかの欠陥が生じた場合に、靴の引き続きの使用を確保することができる。
【００３８】
従って、本発明により、優れて且つ連続的な形状適合性、及び圧力の均一分布を備え、容易に実施でき、安価且つ省資源である靴用の開閉システムが提供される。
【図面の簡単な説明】
【００３９】
【図１】本発明に係る舌革の実施形態の概略図である。
【図２】本発明に係る開閉システムの実施形態の概略図である。
【図３】本発明に係る開閉システムの更なる実施形態の概略図である。
【図４】本発明に係る開閉システムの別の実施形態の概略図である。
【図５Ａ】バンド又は紐などの靴紐を締め付けて保持機構内の所定の位置に固定するのに用いることができる揺動レバーが備わっているシングルタンカの概略図である。
【図５Ｂ】図５Ａのタンカに類似するレバーの構造を備えるタブルタンカの概略図である。
【図６】２部材構造を備える舌革の概略図である。
【図７Ａ】本発明に係る開閉システムの別の実施形態の概略図である。
【図７Ｂ】本発明に係る開閉システムの更なる別の実施形態の概略図である。
【発明を実施するための形態】
【００４０】
以下において、好ましい実施形態及び添付図面の記載を使用して、本発明の詳細な説明を行う。
【００４１】
図１には、本発明に係る舌革１の実施形態の概略図が示され、舌革１は長手方向軸線に対して対称である。舌革１は、靴と同一の材料によって被覆されていることが好ましい。舌革１は、基本構造体２及びパッド４を有して示されている。基本構造体２を見易くするための、図１における保持機構は示されていない。基本構造体２は、押出成形ポリウレタン、及び実質的な非弾性部材（例えば、硬質プラスチック）から形成されている。この材料により、開閉システムが閉じた際に、当該舌革が接触面全体における形状適合性を有しながら、足の上に載った状態が確保される。更に、図１において、足に対して外側に位置する基本構造体２の上面を視認することができるが、足に対向する底面は示されていない。パッド４は、基本構造体２の底面側のわずかな部分で示されている。通路５が、基本構造体２の上面側に示されている。通路５内には、図１では示されていない保持機構３の受容手段が示されている。当該示された受容手段は、通路５における保持機構３の位置決めが可能であって、その位置は規定された間隔で調整可能となっている。ここでは、約２．５ｍｍの間隔で当該位置を調整することができる。ここで、パッド４は、空洞８を形成している。ここで、舌革１のパッド４は左右両側のみに形成されているため、空洞８は舌革１の中央部分に形成されている。更に、図１には複数の穿孔９が示されている。ここで、複数の穿孔９は、空洞８の上方に形成されている。これらの穿孔９は、水蒸気の排出を大変容易にすることができ、足のムレを効果的に改善することができる。ここで、舌革１は、１部材構造として示されている。
【００４２】
図６において、２部材構造を有する舌革が示され、当該２つの部材には、足の甲とすねとの間の境界部分にヒンジ状機構２１が実装されている。図６に示された２部材構造の舌革は、以下において説明する２部分又は２区域の結束（図２参照）がなされた状態で示されている。但し、２部材構造の使用は、２区域の結束を有する実施形態に限定されることなく、その後に説明する他の実施形態で使用されることもできる。そのような２部材構造の舌革は、足首を覆う履き物に用いられることが好ましい。
【００４３】
上述したように、舌革１の基本構造体２に押出成形ポリウレタンを使用することにより、つま先側から足首側までの舌革１の全体部分にわたって形状適合性を、開閉システムの一部として舌革１を使用する際に確保することができる。このようにして、舌革又は開閉システムの適合性を、それぞれ十分に改善することができる。更に、当該改善とともに、圧力を舌革全体に均一に分布されることができる。
【００４４】
図２には、本発明に係る開閉システムの実施形態の概略図が示されている。図示した開閉システム１２は、舌革１を有している。保持機構３（正方形の破線）は、舌革１の足首側端の中央部分に示されている。ここで、保持機構３は、ダブルタンカ６を有している。使用に好適な当該タンカは、図５Ａ及び図５Ｂに示されている。図５Ａは、バンド又は紐のような靴紐１３を締め付けることによって保持機構３内の所定の位置に固定する際に使用する揺動レバー２２が備わっているシングルタンカ６を示す。図５Ｂは、図５Ａに示すものと類似するレバーの機構を備えるダブルタンカを示している。当該ダブルタンカは、お互いに独立して動作させることができる、隣接した２つの揺動レバー２２を有している。当該ダブルタンカは、２区域の結束に使用されることが好ましい。
【００４５】
基本構造体２は、つま先側紐１３ｄが通り抜けるための入口開口１０及び出口開口１１を有しており、つま先側紐１３ｄは、基本構造体２（破線）の底面側であって空洞８（図示せず）内において、入口開口１０と出口開口１１との間を通り抜ける。更に、足首側紐１３ｐが示されており、つま先側紐１３ｄが舌革１のつま先側部分の実質的に上方に延び、足首側紐１３ｐが舌革１の足首側部分の実質的に上方に延びて、２部分又は２区域の結束が形成されている。従って、つま先側紐１３ｄは、足首側紐１３ｐの当該足首側部分を跨いでいる。つま先側紐１３ｄ及び足首側紐１３ｐの一方は、タンカ６のうちの一方に挿入され、つま先側紐１３ｄ及び足首側紐１３ｐの他方は、タンカ６のうちの他方に挿入されている。更に、靴の甲Ｓの左右に示されているアイレット１４には、紐１３が挿入されている。足首側アイレット１４ｐは、均一な張力を発生させるために、保持機構３からつま先方向に約１．５ｃｍの距離の位置に配置されている。更に、紐１３は、個々の固定具２０によって靴の甲Ｓに固定接続されて示されている。この２部分又は２区域の結束は、つま先側から足首側までの連続的な形状適合性を確保する。
【００４６】
図３には、本発明に係る開閉システムの別な実施形態が示されている。図示した開閉システム１２は、舌革１を有している。保持機構３（正方形の破線）は、通路５にあって舌革１の中央部分に示されている。ここで、保持機構３は、１つのシングルタンカ６を備えている。保持機構３の受容手段が通路５に示されている。当該示された受容手段は、通路５における保持機構３の位置決めを行うことが可能であり、その位置は規定された間隔で調整可能となっている。この場合にも、当該位置決めを約２．５ｍｍずつで調整することができる。更に、靴の甲（図示せず）の左右に２本の棒１４が、足首側からつま先側まで延び、足首側座部及びつま先側座部に配置されて存在している。
【００４７】
ここで、左右のカートリッジ１５が、足首側座部として示されている。カートリッジ１５のそれぞれは、棒１４を所定の位置に固定するための２つの凹み１６を有している。ここで、凹み１６は、実質的に棒１４の直径に想到する大きさで示されている。従って、棒１４のそれぞれを２箇所で固定されることができ、棒１４同士の間の角度を増減することができる。
【００４８】
既に上述したように、この有利な実施形態により、足の異なる骨格に対処することが可能になる。更に、つま先側座部として、全方向に変形可能な可撓性部材１７が示されている。可撓性部材１７は、歩行中の足のロール運動（横揺れ運動）に有利である。可撓性部材１７は調整ネジ１８を有し、調整ネジ１８によって中央部分で半分に分割されている。ここで、可撓性部材１７は、湾曲部を形成することにより、棒１４を相互に連結する。調整ネジ１８により、２つの棒１４の互いの関係は、２つの棒１４が足首側からつま先側に向けて鋭角で収束するように設定される。更に、２つの紐１３が折り返し状の結束を形成するように配置されており、足首側方向及び／又はつま先側方向に保持機構３を移動することにより、舌革１の上方にある２つの紐１３の位置が定まるようになっている。保持機構３をつま先側から足首側に偏移するにつれ、開閉システム１２、すなわち、靴が閉じることになる。また、２つの紐１３は、タンカ６に導入されている。更に、紐１３自体の長さを調整することができるようになっている。紐１３は、それぞれの固定具２０によって靴の甲に固定接続されて示されている。従って、上述したようなつま先側から足首側までの連続的な形状適合性が、この実施形態においても同様に確保される。
【００４９】
図４には、本発明に係る開閉システムの別な実施形態の概略図が示されている。舌革１を備えた開閉システム１２が示されている。保持機構３（正方形の破線）は、通路５にあって舌革１の中央部分に示されている。ここで、保持機構３は、１つの保持アームごとに１つの座部７を備えている。保持機構３の受容手段が通路５内に示されている。当該示された受容手段は、通路５における保持機構３の位置決めを行うことが可能であり、その位置は規定された間隔で調整可能となっている。この場合にも、当該位置決めは、約２．５ｍｍずつで調整される。更に、靴の甲（図示せず）の左右の２本の棒１４が、足首側からつま先側まで延び、足首側座部及びつま先側座部に配置されて示されている。ここで、左右のカートリッジ１５が、足首側座部として示されている。カートリッジ１５のそれぞれは、棒１４を所定の位置に固定するための２つの凹み１６を有している。ここで、凹み１６は、実質的に棒１４の直径に相当する大きさで示されている。従って、棒１４のそれぞれを２箇所で固定することができ、棒１４同士の間の角度を増減することができる。上述したように、この有利な実施形態により、足の異なる骨格を補償することができる。更にここでは、全方向に変形することができるつま先側座部として、可撓性部材１７が示されている。可撓性部材１７は、調整ネジ１８を有し、調整ネジ１８によって中央部分で半分に分割されている。ここで、可撓性部材１７は、湾曲部を形成することにより、棒１４を相互に連結する。調整ネジ１８により、２つの棒１４の互いの位置関係は、２つの棒１４が足首側からつま先側へ向かって鋭角で収束するように設定される。更に、保持アーム１９の位置を調整する機構を形成するように保持アーム１９が配置されており、保持機構３を動かすことによって足首側方向及び／又はつま先側方向に向け、２つの棒において舌革１上方の保持アーム１９の位置が調整される。保持機構３をつま先側から足首側に偏移するにつれ、開閉システム１２、すなわち、靴が閉じることになる。上述したようなつま先側から足首側までの連続的な形状適合性が、この実施形態においても同様に確保される。
【００５０】
図７Ａ及び図７Ｂには、本発明に係る開閉システムの更なる他の実施形態の概略図が示され、当該示された変形は１部材構成又は２部材構成の舌革に使用することができる。これらの変形は、取り扱いがより簡単であることから、子供用の靴に特に適している。図７Ａにおいては、“ローカット靴”と呼ばれる靴に使用できる１部材構成の舌革が示されている。図７Ｂは、足首を覆う靴に有利な２部材構成の舌革が示され、このような変形例におけるタンカ６は、通路５において、上方又は下方に向かって少し偏移させることができる。図７Ａ及び図７Ｂの両変形例のそれぞれでは、つま先側端又は靴の甲の裏面において、紐１３が固定部材２３によって相互に連結されている。更に、固定部材２３自体を、靴の甲に恒久的に固定してもよい。固定部材２３は、互いにネジ留めされ且つ紐が装着される、２つの金属又はプラスチック製小片を有するようにしてもよい。それに応じて形成されたタンカは、固定部材２３としても機能することができる。図７Ａ及び図７Ｂの両変形例では、足首側端において、紐１３に保持補助部２４を設けてもよい。
【符号の説明】
【００５１】
１    舌革
２    基本構造体
３    保持機構
４    パッド
５    通路
６    タンカ
７    保持アーム用の座部
８    空洞
９    穿孔
１０    入口開口
１１    出口開口
１２    開閉システム
１３    靴紐，紐
１３ｐ  足首側紐
１３ｄ  つま先側紐
１４    ガイド部材，アイレット，棒
１４ｐ  足首側アイレット
１５    足首側座部，カートリッジ
１６    凹み
１７    可撓性部材
１８    調整ネジ
１９    保持アーム
２０    固定具
２２    揺動レバー
２３    固定部材
２４    保持補助部
Ｓ    靴の甲
【図１】
0005603929.tif 000002
【図２】
0005603929.tif 000003
【図３】
0005603929.tif 000004
【図４】
0005603929.tif 000005
【図５Ａ】
0005603929.tif 000006
【図５Ｂ】
0005603929.tif 000007
【図６】
0005603929.tif 000008
【図７Ａ】
0005603929.tif 000009
【図７Ｂ】
0005603929.tif 000010